(57)【特許請求の範囲】
【請求項１】
内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し内外槽間や受払い管近傍に滞留し再液化することがないように、内外槽間の受払い管よりも上方で、内槽側板上端縁より下方の内外槽間に断熱性と伸縮性と気密性を備えた仕切り材を渡設し、当該仕切り材で区切られた気密区域内に温度検出手段を設けるとともに、この気密区域内を所定温度の不活性ガスの雰囲気に維持する不活性ガスの供給手段を設けたことを特徴とする低温二重殻タンクの断熱構造。
【請求項２】
内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し受払い管近傍で再液化することがないように、断熱性と伸縮性と気密性を備えた仕切り材で内外槽間の受払い管を囲繞し、当該仕切り材で区切られた気密区域内に温度検出手段を設けるとともに、この気密区域内を所定温度の不活性ガスの雰囲気に維持する不活性ガスの供給手段を設けたことを特徴とする低温二重殻タンクの断熱構造。
【発明の詳細な説明】
【技術分野】
【０００１】
この発明は、低温二重殻タンクの断熱構造に関するものである。
【背景技術】
【０００２】
図６に示すように、従来一般的なサスペンデッドデッキ構造の低温二重殻タンクは、底版１上に設置された外槽底板２と外槽側板３と外槽屋根４とからなる外槽５と、この外槽５の内部に設置される内槽底板６と内槽側板７と吊屋根構造のサスペンデッドデッキ８とからなる内槽９とで構成されている。
１０は底部断熱材、１１は屋根部断熱材、１２は内外槽間の断熱材、１３は貯蔵液１４の受払い管を示す。１４ａは、低温の貯蔵液１４のベーパーを示す。
【０００３】
図７は、図６の受払い管１３の近傍の拡大図である。
１４ｂは、内外槽間の断熱材１２内を降下して冷却されたベーパーを示す。１４ｃは受払い管１３近傍での凝縮状況を示す。
【０００４】
従来例として、特許文献１の実開昭６３−１７５３９９号公報「低温タンク」の発明技術がある。この発明には、内外槽間の底部を内槽底部と外槽側板下部との間に設けた封鎖板で密閉した構造が開示されている。
【０００５】
また、特許文献２の特開２００２−１９５４９８号公報「低温二重殻貯槽」の発明技術がある。この発明には、内槽と外槽の間の空隙部に断熱材を充填した低温二重殻貯槽において、空隙部の下部位置に、環状の仕切板を設けて、仕切板の下部領域を、窒素ガス充填の空洞部とした構造が開示されている。
【０００６】
また、特許文献３の特開２００７−１００７７２号公報「地上式ＬＮＧタンク」の発明技術がある。この発明には、内槽と外槽との間隙に断熱材を充填し、さらに樹脂系二次バリア層を備えた構造が開示されている。
【０００７】
さらに、特許文献４の特開平０８−１０５５９８号公報「低温タンクの屋根ノズル保冷装置」の発明技術がある。この発明には、外槽屋根と内槽屋根との間に位置する屋根ノズルの周辺部を取り囲むように仕切りを配置し、この仕切りは内槽屋根に固定し、仕切り内のパーライト粒の上面部と外槽や屋根の下面との間にグラスウールを詰め込む構造が開示されている。
【先行技術文献】
【特許文献】
【０００８】
【特許文献１】実開昭６３−１７５３９９号公報
【特許文献２】特開２００２−１９５４９８号公報
【特許文献３】特開２００７−１００７７２号公報
【特許文献４】特開平０８−１０５５９８号公報
【発明の概要】
【発明が解決しようとする課題】
【０００９】
図６に示す従来一般的なサスペンデッドデッキ構造の低温二重殻タンクは、内槽９のサスペンデッドデッキ８の外周隙間から外槽側板３と内槽側板７との間の断熱材１２へ、貯蔵液１４の気化したベーパー１４ａが浸入し易い構造となっている。
【００１０】
図７に示すように、内外槽間の断熱材１２内に浸透し降下したベーパー１４ｂは、この断熱材１２の内部に滞留し内槽からの冷熱により低温となって再液化することが懸念される。また、受入れ液体の温度が所定温度より低い場合には、１４ｃに示すように、受払い管１３の近傍で凝縮することが心配される。
【００１１】
特許文献１の実開昭６３−１７５３９９号公報「低温タンク」の内外槽間の底部を内槽底部と外槽側板下部との間に設けた封鎖板で密閉した構造の発明は、封鎖板の上に凝縮して溜る低温液体の処理が必要であった。
【００１２】
また、特許文献２の特開２００２−１９５４９８号公報「低温二重殻貯槽」の内槽と外槽の間の空隙部の下部位置に環状の仕切板を設けて、仕切板の下部領域を窒素ガス充填の空洞部とした構造の発明は、仕切板での気密性保持と断熱性と伸縮性の確保が難しかった。
【００１３】
また、特許文献３の特開２００７−１００７７２号公報「地上式ＬＮＧタンク」の内槽と外槽との間隙に断熱材を充填し、さらに樹脂系二次バリア層を備えた構造の発明は、二次バリア材の施工が煩雑で、かつ内外槽間の冷熱移動を阻止するものではなかった。
【００１４】
さらに、特許文献４の特開平０８−１０５５９８号公報「低温タンクの屋根ノズル保冷装置」の外槽屋根と内槽屋根との間に位置する屋根ノズルの周辺部を取り囲むように仕切りを配置し、この仕切り内のパーライト粒の上面部と外槽や屋根の下面との間にグラスウールを詰め込む構造の発明は、屋根に設けるノズルに適用して冷熱対応を図るもので、内外槽間に位置する受払い管近傍での凝縮を防止するものではなかった。
【００１５】
この発明の目的は、上述のような従来技術が有する問題点に鑑みてなされたもので、サスペンデッドデッキ構造の低温二重殻タンクの内外槽間の低温貯蔵液ベーパーの移動を阻止することにより、内槽からの冷熱によるベーパーの再液化を防止し、かつ受払い管からの冷熱によるベーパーの凝縮をも防止し、さらに内外槽間及び受払い管近傍の断熱性の確保と不活性ガス雰囲気の保持を可能とする低温二重殻タンクの断熱構造を提供するものである。
【課題を解決するための手段】
【００１６】
請求項１に係る発明の低温二重殻タンクの断熱構造は、内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し内外槽間や受払い管近傍に滞留し再液化することがないように、内外槽間の受払い管よりも上方で、内槽側板上端縁より下方の内外槽間に断熱性と伸縮性と気密性を備えた仕切り材を渡設し、当該仕切り材で区切られた気密区域内に温度検出手段を設けるとともに、この気密区域内を所定温度の不活性ガスの雰囲気に維持する不活性ガスの供給手段を設けたことを特徴とする。
【００１７】
請求項２に係る発明の低温二重殻タンクの断熱構造は、内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し受払い管近傍で再液化することがないように、断熱性と伸縮性と気密性を備えた仕切り材で内外槽間の受払い管を囲繞し、当該仕切り材で区切られた気密区域内に温度検出手段を設けるとともに、この気密区域内を所定温度の不活性ガスの雰囲気に維持する不活性ガスの供給手段を設けたことを特徴とする。
【発明の効果】
【００２２】
請求項１に係る発明の低温二重殻タンクの断熱構造は、内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し内外槽間や受払い管近傍に滞留し再液化することがないように、内外槽間の受払い管よりも上方で、内槽側板上端縁より下方の内外槽間に断熱性と伸縮性と気密性を備えた仕切り材を渡設し、当該仕切り材で区切られた気密区域内に温度検出手段を設けるとともに、この気密区域内を所定温度の不活性ガスの雰囲気に維持する不活性ガスの供給手段を設けたので、
内外槽間内でのベーパーの滞留と再液化を防止することができ、仕切られた気密区域内に位置する内外槽や受払い管近傍の断熱材をベーパー雰囲気から遮断保護して断熱性能の低下防止を図ることができる。
また、内外槽間の気密区域内の温度管理を行って不活性ガスをパージするため、内槽から伝わる冷熱を不活性ガスと一緒に排出して所定温度以下にならないように調整することができる。また、気密区域内に位置する内槽及び外槽、受払い管などの溶接部や断熱材を不活性ガス雰囲気に保持することができる。
【００２３】
請求項２に係る発明の低温二重殻タンクの断熱構造は、内槽と外槽の二重殻に形成しこの間に断熱材を充填し内槽屋根をサスペンデッドデッキ構造に形成した低温二重殻タンクにおいて、内外槽間に低温液化ガス貯蔵液のベーパーが浸入し受払い管近傍で再液化することがないように、断熱性と伸縮性と気密性を備えた仕切り材で内外槽間の受払い管を囲繞し、当該仕切り材で区切られた気密区域内に温度検出手段を設けるとともに、この気密区域内を所定温度の不活性ガスの雰囲気に維持する不活性ガスの供給手段を設けたので、
内外槽間内の受払い管近傍でのベーパーの凝縮の防止をすることができ、仕切られた気密区域内に位置する受払い管近傍の断熱材をベーパー雰囲気から遮断保護して断熱性能の低下防止を図ることができる。
また、内外槽間の区切られた気密区域内の温度管理を行って不活性ガスをパージするため、内槽から伝わる冷熱を不活性ガスと一緒に排出して所定温度以下にならないように調整することができる。また、気密区域内に位置する内槽及び外槽、受払い管などの溶接部や断熱材を不活性ガス雰囲気に保持することができる。
【図面の簡単な説明】
【００２８】
【図１】この発明に係るサスペンデッドデッキ構造の低温二重殻タンクの断熱構造であって、内外槽間の所定位置に水平リング状の仕切り材を渡設した断熱構造事例を示す側断面説明図である。
【図２】この発明に係るサスペンデッドデッキ構造の低温二重殻タンクの断熱構造であって、受払い管を囲繞する仕切り材を設けた断熱構造事例を示す一部を欠除した斜視説明図である。
【図３】仕切り材近傍を拡大して示す縦断面説明図である。
【図４】受払い管の近傍を拡大して示す縦断面説明図である。
【図５】この発明に係る低温二重殻タンクの断熱構造の温度検出手段とガスパージ手段、及び緊急遮断手段を示す説明図である。
【図６】従来一般的なサスペンデッドデッキ構造の低温二重殻タンクの断熱構造を示す側断面説明図である。
【図７】図６の受払い管の近傍を拡大して示す縦断面説明図である。
【発明を実施するための形態】
【００２９】
この発明に係るサスペンデッドデッキ構造の低温二重殻タンクの断熱構造を、図１乃至図５に基づいて説明する。
図１は、内外槽間の所定位置に水平リング状の仕切り材を設けた断熱構造事例の縦断面図で、図２は受払い管を囲繞する仕切り材を設けた断熱構造事例の斜視図である。
図３は仕切り材近傍、図４は受払い管近傍を示し、図５は気密区域内部の温度管理とガスパージを行う事例、及び受払い管近傍の温度管理と緊急遮断を行う事例を示す。
なお、各図中の共通する部位や部材には同一の番号を付している。
【００３０】
貯蔵液１４を貯蔵するスペンションデッキ構造の低温二重殻タンクは、図１に示すように、底版１上に設置された外槽底板２と外槽側板３と外槽屋根４とからなる外槽５と、この外槽５の内部に設置された内槽底板６と内槽側板７と内槽屋根のサスペンデッドデッキ８などからなる内槽９とで構成されている。
１０は底部断熱材、１１は屋根部断熱材を示し、１２はパーライト粒などからなる内外槽間に充填される断熱材である。１３は受払い管で低温液体を受入れ或いは払い出す配管である。１４は低温の貯蔵液を示す。
【００３１】
図１に示すように、内外槽間内の所定高さ位置に断熱性と伸縮性と気密性を備えた水平リング状の仕切り材１５を渡設して断熱材１２を上下に仕切って、その下部に気密区域１６を形成する。
仕切り材１５の渡設位置は、貯蔵する低温液の温度や貯槽の使用状況などに鑑みて、内外槽間の受払い管１３よりも上方で、内槽側板７の上端縁より下方の内外槽間の所定位置を選択する。
この仕切り材１５の渡設位置を受払い管１３の上部近傍の低い位置にする場合は、貯蔵液１４のベーパー１４ａの量が少ない貯槽に適し、下部の気密区域１６の容積が小さくなるため不活性ガスをパージする場合に使用ガス量を少なくすることができる。
また、仕切り材１５の渡設位置を内槽側板７の上端縁近くの高い位置にした場合は、屋根上方からのベーパー１４ａが内外槽間の側壁部に浸入することがなく、貯槽液１４のベーパー１４ａの量が多い貯槽であっても滞留や再液化の心配がない。
【００３２】
このように、上下の断熱材を仕切ってガスの通過を遮断する水平リング状の仕切り材１５を設けることによって、貯蔵液１４から気化したベーパー１４ａが内外槽間に浸入し滞留して内槽からの冷熱で再液化することを防止することができる。
また、図示例では受払い管１３周囲の内外槽間部位に被覆断熱材１７を設けた場合を示す。このように、受払い管１３の周壁からの冷熱の伝導を阻止することによって、上記仕切り材１５と併せて内外槽間の温度低下を防止することができる。
【００３３】
図２に示すように、内外槽間の受払い管１３の周囲から離れた位置、つまり受払い管１３を囲繞するように、断熱性と伸縮性と気密性を備えた仕切り材１８を設ける。この仕切り材１８で周囲の断熱材１２を仕切って、ベーパー１４ａの通過を遮断する気密区域１６を形成する。この仕切り材１８は、図示を省略するが、前記仕切り材１５と同様に支持断熱材と弾性断熱材と気密性を有する部材を組合せて断熱性と伸縮性を有する気密構造に形成する。
【００３４】
このように、受払い管１３の周囲から離れた位置を囲繞しベーパーの通過を遮断する仕切り材１８を設けることによって、冷熱とベーパー１４ａの出入りを遮断するため、受払い管１３の周囲近傍に着霜や氷結、結露などが生じることがない。
【００３５】
図３は、水平リング状に設ける仕切り材近傍を拡大して示す縦断面説明図で、図示はしないが受払い管を囲繞する仕切り材についても同様の部材を用いて設置する。
仕切り材１５の上部には断熱材１２を充填し、下部は気密区域１６に形成し断熱材１２を充填しておく。１９は支持材、２０は支持断熱材、２１は弾性断熱材、２２はシール膜材で、図示例は仕切り材１５下部の気密区域１６内に不活性ガス２３をパージした場合を示す。
仕切り材１５は、支持断熱材２０と弾性断熱材２１とシール膜材２２を組合せて断熱性と伸縮性を有し気密構造に形成する場合を示す。
支持材１９は、内外槽の壁面所定位置に仕切り材１５を固定するために取付け、内外槽間上方からの断熱材１２の荷重を支持する。
支持断熱材２０は、例えば断熱性能を有するポリウレタンフォームや低温特性を有するポリカーボネイト、ガラス繊維強化プラスチックなどの材料を用いて積層などして上方からの断熱材１２の荷重に耐え得るように形成する。
弾性断熱材２１は、例えばグラスウール、ポリウレタンゴムやふっ素ゴムなどの弾力性と低温特性を有する材料を用いて内外槽の変形に追従するように形成する。
シール膜材２２は、例えばポリフェニレンオキサイドやエチレンプロピレンなどの低温特性を有する素材を用いて気密性を有するフィルム材やコーティング織物材に形成する。
なお、内槽側板７の外壁面に接する温度の低い部位の弾性断熱材２１ａは、低温特性に優れたグラスウールやポリ四ふっ化エチレンなどを選択し、外槽側板３の内壁面に近く温度が余り低くない部位の弾性断熱材２１ｂは、ポリウレタンゴムやシリコンゴムなどを選択するようにしても良い。
【００３６】
このように、断熱性と伸縮性を有し気密構造の仕切り材１５を設けることによって、熱移動を阻止し形状を維持するとともに、内外槽の変形に弾力的に追従し、気密区域１６内へのベーパー１４ａやガスの浸透を阻止することができる。
また、気密区域１６内へ不活性ガス２３をパージした場合には、所定の断熱性能と不活性ガス雰囲気を維持することができる。
【００３７】
図４は、受払い管１３の近傍を拡大して示す縦断面説明図で、低温液体の受払い管１３周囲の内外槽間部位に被覆断熱材１７を設ける。なお、内外槽間にはパーライト粒などの断熱材１２が充填されている場合を示す。
ポリウレタンフォームや発泡スチロールなどの固形体で熱伝導率の小さい支持断熱材２０と、グラスウールやポリウレタンゴムなどの柔軟体で弾力性を有する弾性断熱材２１を組み合わせて積層して、断熱性を有し伸縮構造の被覆断熱材１７に形成する。
【００３８】
このように、低温液体の受払い管１３の周囲に被覆断熱材１７を設けることにより、断熱性能が向上するため、冷熱の伝導によって受払い管１３の近傍にベーパー１４ａの凝縮が発生することがない。
【００３９】
図５は、この発明に係る低温二重殻タンクの断熱構造の温度検出手段とガスパージ手段、及び緊急遮断手段を示す説明図であって、仕切り材１５を設けて気密区域１６を形成し、温度を検知して窒素ガスやアルゴンガスなどの不活性ガス２３を供給する手段として、温度検出器Ｔ１と不活性ガス供給設備２５、及び不活性ガス入口２６と不活性ガス出口２７を設けた場合を示す。
【００４０】
このように、温度検出器Ｔ１により温度を検知し、不活性ガス供給設備２５によって不活性ガス２３を供給することにより、所定温度とガス雰囲気を管理することができる。また、気密区域１６内に位置する受払い管１３の近傍や、内外槽間の断熱部を所定の温度とガス雰囲気に保持することができる。
【００４１】
さらに、受払い管１３に温度検出器Ｔ２を設け、受入れ液体の温度が低下した際に、緊急遮断弁２８が作動して低温液の受入れを停止するように形成する。
このように、温度検出器Ｔ２と緊急遮断弁２８を設けた場合には、低温液受入れの温度管理と異常低温の液体の受入れ防止を図ることができる。
【産業上の利用可能性】
【００４２】
この発明に係るサスペンデッドデッキ構造の低温二重殻タンクの断熱構造は、サスペンデッドデッキ構造の低温二重殻タンクに限らず、二重殻固定屋根構造の低温タンクの内外槽間や各種ノズル近傍の断熱構造にも適用することができる。
【符号の説明】
【００４３】
１底版      
２外槽底板      
３外槽側板      
４外槽屋根      
５外槽      
６内槽底板      
７内槽側板      
８内槽サスペンデッドデッキ      
９内槽      
１０底部断熱材      
１１屋根部断熱材      
１２側部断熱材      
１３受払い管      
１４貯蔵液      
１４ａ，１４ｂベーパー      
１５仕切り材      
１６気密区域      
１７被覆断熱材      
１８仕切り材      
１９支持材      
２０支持断熱材      
２１弾性断熱材      
２２シール膜材      
２３不活性ガス      
２４外筒      
２５不活性ガス供給設備      
２６不活性ガス入口      
２７不活性ガス出口      
２８緊急遮断弁      
【図１】
0005713185.tif 000002
【図２】
0005713185.tif 000003
【図３】
0005713185.tif 000004
【図４】
0005713185.tif 000005
【図５】
0005713185.tif 000006
【図６】
0005713185.tif 000007
【図７】
0005713185.tif 000008